(57)【要約】【課題】  植物を育成するための設備を一揃いとすることにより、可搬性を向上される植物育成装置を提供する。【解決手段】  植物育成システム１は、ユーザにより入力される情報に基づいて、環境設定装置２に複数記録される既定の植物に関する情報の中から基準となる育成情報を決定する。植物育成システム１は、決定された基準となる育成情報を環境制御装置３と、空調設備５とに送信する。植物育成システム１は、送信された基準となる育成情報に基づいて環境制御装置３と、空調設備５とを制御することにより、栽培される既定の植物に対して、好適な育成環境を実現することができる。  また、植物育成システム１は、空調設備５を既存の空気調和設備を利用するため、境制御装置３の小型化を実現できる。植物育成システム１は、境制御装置３の小型化することにより、施設間の移動等を容易にすることができる。【選択図】図１
2015062390.tif 000002
【特許請求の範囲】
【請求項１】
外部との換気を可能にする開口が設けられた植物育成装置本体と、
前記植物育成装置本体に設置された栽培ベッドと、
前記植物育成装置本体に設置された光源部と、
前記光源部により照射される光を制御する光源制御部と、
前記植物育成装置本体に設置され、前記栽培ベッドに供給される養液の成分の混合比又は濃度を制御する養液制御部と、
前記植物育成装置本体に設置され、外部に設置された空気調和設備を制御する空調制御部と
を有する植物育成装置。
【請求項２】
少なくとも前記栽培ベッドにおける環境を検知する検知部と、
少なくとも前記栽培ベッドの近傍を撮影する撮影部と
をさらに有し、
前記光源制御部は、前記検知部による検知結果に基づいて、光量又はカラーバランスを制御し、
前記養液制御部は、前記検知部による検知結果に基づいて、養液成分の混合比又は濃度を制御し、
前記空調制御部は、前記検知部による検知結果に基づいて、室内温度を調節する空気調和設備、加湿器、及び除湿機の少なくとも一つを制御する
請求項１に記載の植物育成装置。
【請求項３】
前記検知部により検知された検知データ、及び、前記撮影部により撮影された画像データを、外部の管理装置に転送する通信部
をさらに有する請求項２に記載の植物育成装置。
【請求項４】
前記空調制御部は、エコーネットコンソーシアムで策定された通信プロトコルに従って、前記空気調和設備を制御する
請求項３に記載の植物育成装置。
【請求項５】
室内に設置された空気調査設備と、
前記室内に設置された植物育成装置と、
前記室内以外の領域に設置された管理装置と
を備え、
前記植物育成装置は、
外部との換気を可能にする開口が設けられた植物育成装置本体と、
前記植物育成装置本体に設置された栽培ベッドと、
前記植物育成装置本体に設置された光源部と、
前記光源部により照射される光を制御する光源制御部と、
前記植物育成装置本体に設置され、前記栽培ベッドに供給される養液の成分の混合比又は濃度を制御する養液制御部と、
前記植物育成装置本体に設置され、前記空気調和設備を制御する空調制御部と、
前記検知部により検知された検知データを、前記管理装置に転送する通信部と
を有し、
前記空気調和設備は、前記空調制御部による制御に応じて、前記室内の温度又は湿度を調整する
植物育成システム。
【請求項６】
制御の内容及びタイミングを指定する育成プロファイルを販売する販売装置
をさらに備え、
前記管理装置は、
前記販売装置から購入した育成プロファイルを前記植物育成装置に応じて校正する校正部
を有し、
前記光源制御部、前記養液制御部及び前記空調制御部の少なくとも１つは、前記校正部により校正された育成プロファイルに基づいて制御を行う
請求項５に記載の植物育成システム。
【発明の詳細な説明】
【技術分野】
【０００１】
本発明は、植物育成装置、及び、植物育成システムに関するものである。
【背景技術】
【０００２】
例えば、特許文献１では、単一の栽培ベッドまたは上下二段以上の多段栽培ベッドによりそれぞれの上部空間を利用した植物の栽培が可能であり、栽培ベッドと養液貯溜タンクを一体に設け、養液貯溜タンクから栽培ベッド側に引き込んだ養液供給パイプにより養液量の調整を行い、養液の排出は装置の底部に取り付けたドレーンにより行い、栽培ベッドの培地は珪藻土焼成粒を用いることで繰り返し使用でき、また、装置全体をネットで覆うことにより病害虫の侵入を軽減し、さらに、装置の外側に枠を設けて栽培ベッドの多段積み重ねを可能とし、枠の底部に移動車輪を取り付けて装置全体を移動可能としたことを特徴とする省エネ・節水型植物栽培装置として開示されている。
【０００３】
また、例えば、特許文献２では、植物を収容する容器と、前記容器内に設けられ前記植物に光を照射する人工光源と、前記植物の種類及び栽培時期と前記人工光源の種類に応じて前記人工光源の照射時間を制御する光制御手段と、前記光制御手段に与える制御データを中央管理装置から受信する第１受信手段と、前記第１受信手段が受信した前記制御データを記憶する第１記憶手段と、前記第１記憶手段に記憶された前記制御データを読みだして前記光制御手段に送る装置制御手段を備えたことを特徴とする植物栽培システムの植物栽培装置として開示されている。
【先行技術文献】
【特許文献】
【０００４】
【特許文献１】特開２００３−１１１５２９号公報
【特許文献２】特開平１０−１９１７８７号公報
【発明の概要】
【発明が解決しようとする課題】
【０００５】
本発明は、植物を育成するための設備を一揃いとすることにより、可搬性を向上される植物育成装置を提供することを目的とする。
【課題を解決するための手段】
【０００６】
本発明に係る植物育成装置は、外部との換気を可能にする開口が設けられた植物育成装置本体と、前記植物育成装置本体に設置された栽培ベッドと、前記植物育成装置本体に設置された光源部と、前記光源部により照射される光を制御する光源制御部と、前記植物育成装置本体に設置され、前記栽培ベッドに供給される養液の成分の混合比又は濃度を制御する養液制御部と、前記植物育成装置本体に設置され、外部に設置された空気調和設備を制御する空調制御部とを有する。
【０００７】
好適には、少なくとも前記栽培ベッドにおける環境を検知する検知部と、少なくとも前記栽培ベッドの近傍を撮影する撮影部とをさらに有し、前記光源制御部は、前記検知部による検知結果に基づいて、光量又はカラーバランスを制御し、前記養液制御部は、前記検知部による検知結果に基づいて、養液成分の混合比又は濃度を制御し、前記空調制御部は、前記検知部による検知結果に基づいて、室内温度を調節する空気調和設備、加湿器、及び除湿機の少なくとも一つを制御する。
【０００８】
好適には、前記検知部により検知された検知データ、及び、前記撮影部により撮影された画像データを、外部の管理装置に転送する通信部をさらに有する。
【０００９】
好適には、前記空調制御部は、エコーネットコンソーシアムで策定された通信プロトコルに従って、前記空気調和設備を制御する。
【００１０】
本発明に係る植物育成システムは、室内に設置された空気調査設備と、前記室内に設置された植物育成装置と、前記室内以外の領域に設置された管理装置とを備え、前記植物育成装置は、外部との換気を可能にする開口が設けられた植物育成装置本体と、前記植物育成装置本体に設置された栽培ベッドと、前記植物育成装置本体に設置された光源部と、前記光源部により照射される光を制御する光源制御部と、前記植物育成装置本体に設置され、前記栽培ベッドに供給される養液の成分の混合比又は濃度を制御する養液制御部と、前記植物育成装置本体に設置され、前記空気調和設備を制御する空調制御部と、前記検知部により検知された検知データを、前記管理装置に転送する通信部とを有し、前記空気調和設備は、前記空調制御部による制御に応じて、前記室内の温度又は湿度を調整する。
【００１１】
好適には、制御の内容及びタイミングを指定する育成プロファイルを販売する販売装置をさらに備え、前記管理装置は、前記販売装置から購入した育成プロファイルを前記植物育成装置に応じて校正する校正部を有し、前記光源制御部、前記養液制御部及び前記空調制御部の少なくとも１つは、前記校正部により校正された育成プロファイルに基づいて制御を行う。
【発明の効果】
【００１２】
本発明によれば、既存の空気調和設備を利用することにより、植物を育成するための設備を最小限にでき、この設備を一揃いとすることで、可搬性を向上させることができる。
【図面の簡単な説明】
【００１３】
【図１】本実施形態に係る植物育成システム１の概要を例示する図である。
【図２】環境制御装置３の構成を説明する図である。
【図３】環境設定プログラム２００の機能構成を説明する図である。
【図４】環境制御プログラム３００の機能構成を説明する図である。
【図５】環境設定処理（Ｓ２０）を説明するフローチャートである。
【図６】環境制御処理（Ｓ３０）を説明するフローチャートである。
【図７】育成情報データベース２０５に記録される育成情報を例示する図である。
【図８】変形例２に係る植物育成システム１ａの概要を例示する図である。
【図９】変形例２に係るプロファイルデータベース２０７を例示する図である。
【図１０】変形例２に係る環境制御プログラム３００の機能構成を説明する図である。
【図１１】育成プロファイルの購入手続きにおける動作概要（Ｓ１０）を例示するシーケンス図である
【図１２】変形例２に係る環境設定装置２に表示される購入手続きの画面を例示する図である。
【図１３】検知部１８ｃの経時劣化を軽減する方法を説明する図である。
【発明を実施するための形態】
【００１４】
以下、本発明の実施形態の構成を、図面を参照して説明する。ただし、本発明の範囲は、図示例に限定されるものではない。
【００１５】
図１は、植物育成システム１の概要を説明する図である。
図１に例示すように、植物育成システム１は、環境設定装置２と、環境制御装置３と、空気調和設備５（空調設備５）とを含む。環境設定装置２、環境制御装置３、及び、空調設備５は、インターネット、ＬＡＮ（Ｌａｃａｌ  Ａｒｅａ  Ｎｅｔｗｏｒｋ）、専用回線等の通信網を通じて、互いに接続される。
【００１６】
環境設定装置２は、後述する環境設定プログラム２００をインストールされる。
環境設定装置２は、パーソナルコンピュータ（ＰＣ）である場合を具体例として説明するが、これに限定するものではなく、ＰＤＡ、携帯電話、スマートフォン（多機能携帯電話）、又は、タブレット端末であってもよい。環境設定装置２は、既定の植物に関する情報（育成情報）を複数保存する。
ここで、育成情報とは、既定の植物に関する好適な温度、湿度、照度、二酸化炭素濃度、風量、及び、養液に関する情報である。養液に関する情報には、水素イオン濃度指数（ｐＨ）、電気伝導率（ＤＯ）、溶存イオンの種類、及び、溶存イオン量が含まれる。
【００１７】
環境制御装置３は、後述する環境制御プログラム３００をインストールされる。
環境制御装置３は、移動可能となるように地面と接する脚に車輪を取り付けられる。また、環境制御装置３は、栽培する植物を育成するための機器を備える。
【００１８】
空調設備５は、既定の施設（大学、研究機関等）や一般家庭等に設置される既存の空気調和設備である。空調設備５は、例えば、エアコンディショナー（エアコン）、エアサーキュレーター、加湿器、及び、除湿機等である。
【００１９】
植物育成システム１は、ユーザにより入力される情報に基づいて、環境設定装置２に複数記録される既定の植物に関する情報の中から基準となる育成情報（基準育成情報７）を決定する。植物育成システム１は、決定された基準育成情報７を環境制御装置３と、空調設備５とに送信する。植物育成システム１は、送信された基準育成情報７に基づいて環境制御装置３と、空調設備５とを制御することにより、栽培される既定の植物に対して、好適な育成環境を実現することができる。
また、植物育成システム１は、環境制御装置３により収集された育成情報８と、画像データ９とをデータベースに記録する。植物育成システム１は、データベースに記録される育成情報を更新することで、記録される育成情報を良化することができる。
【００２０】
また、植物育成システム１は、空調設備５を既存の空気調和設備を利用するため、空調設備５を有する施設であるならば、環境制御装置３を自由に設置することができる。また、植物育成システム１は、空調設備５を既存の空気調和設備を利用するため、環境制御装置３の小型化を実現することができる。また、植物育成システム１は、環境制御装置３を小型化することにより、広大な設置場所を必要とせず、大学の研究室内、企業の一室、外食産業の出店する店舗、又は、一般家庭でも利用することができる。また、植物育成システム１は、環境制御装置３を小型化することにより、施設間の移動等を容易にすることができる。
【００２１】
図２は、環境制御装置３の構成を説明する図である。
図２に例示するように、環境制御装置３は、可搬台１０、栽培ベッド１２、養液管理部１４、濾過部１６、配管１１、検知部１８、光源部２０、撮影部２２、二酸化炭素貯蔵部２４、制御部２６、及び、通信部２８を含む。
【００２２】
［可搬台１０］
可搬台１０は、本発明に係る植物育成装置本体の一例である。
可搬台１０は、例えば、合成樹脂部材、又は、金属部材で構成される。
可搬台１０は、外部との換気を可能にする開口が設けられるよう構成される。可搬台１０は、例えば、枠を組まれて構成される。可搬台１０は、枠組みにカーテンや壁面部材を適宜に設置することにより、風量や照度を適宜に調節することができる。
また、可搬台１０は、取手１０ａ、及び、車輪１０ｂを含む。
取手１０ａは、例えば、金属部材で構成される。取手１０ａは、大きさや形状を適宜に変更することができる。
車輪１０ｂは、可搬台１０の底面に設置され、３か所、又は、４か所に設置される。車輪１０ｂは、例えば、弾性部材で構成され、具体的には、合成ゴムで構成される。車輪１０ｂは、可搬装置１０の重量や大きさに合わせて、車輪幅や車輪径を適宜に変更することができる。
可搬台１０は、移動することのできる形状であるならば、移動手段を取手１０ａや車輪１０ｂに限定するものではなく、例えば、可搬台１０を台車に載置することで設置場所を移動できるようにしてもよい。
可搬台１０は、少なくとも、後述する栽培ベッド１２、養液制御部１４、濾過部１６、検知部１８、光源部２０、撮影部２２、二酸化炭素（ＣＯ２）制御部２４、及び、電源部２６を具備する。
【００２３】
［栽培ベッド１２］
栽培ベッド１２は、本発明に係る栽培ベッドの一例である。
栽培ベッド１２は、植物の育苗を行う、いわゆる苗床である。栽培ベッド１２は、植物の根を張ることのできる領域である培地を有する。培地は、例えば、土壌改良材、合成樹脂、又は、海綿動物である。具体的には、培地は、バーク堆肥、ピートモス、ヤシガラ、炭泥、木炭、もみ殻、腐葉土、パーライト、バーミキュライト、粘土鉱物、ベントナイト、発泡プラスチック、ロックウール、天然スポンジ、又は、合成スポンジにより構成される。
ここで、養液栽培は、水耕栽培と、固形培地耕栽培と、噴霧耕栽培とに分けられる。
水耕栽培は、固形培地を必要としない方法であり、水耕、又は、水栽培とも呼ばれる。水耕栽培には、湛液型水耕（ＤＦＴ）と、薄膜水耕（ＮＦＴ）とが含まれる。
また、固形培地耕栽培は、土を使用せずに肥料成分を溶かした水溶液（養液）を用いて栽培する方法であり、根を支持するために、固形培地を用いる。また、固形培地耕栽培は、無機質培地を用いるものと、有機質培地を用いるものとに分けられる。
また、噴霧耕栽培は、根に養液を霧状に噴霧する栽培する方法である。
本例では、固形培地耕栽培を具体例として説明するが、これに限定するものではなく、これらの栽培方法を適宜に選択することができる。
【００２４】
［養液管理部１４］
養液管理部１４は、少なくとも、養液貯留槽、養液水位計測部、養液ヒーター、灌水部、及び、エアレーション、又は、空気混入機を備える。
養液貯留槽は、栽培ベッド１２に供給される養液を貯留する容器である。
養液水位計測部は、養液貯留槽に貯留される養液の水位を計測する。
養液ヒーターは、養液貯留槽に貯留される養液を既定の温度に温める。
【００２５】
灌水部は、栽培ベッド１２に供給される水を制御する。灌水部は、水を養液に混合し水溶液として、栽培ベッド１２に供給してもよいし、水と、養液とを別途供給してもよい。
エアレーションは、灌水部に制御される水に気体である空気を供給する装置である。エアレーションは、水に空気を供給することで、存酸素濃度を増加させることができる。エアレーションは、水に供給される酸素の気泡径を適宜に変更することができる。エアレーションは、供給される酸素の気泡径を小さくすることで、油膜等を取り除くことができる。
空気混入機は、ポンプを用いて養液を循環させることにより、養液の流れる圧力を利用して液中に空気を取り込むことができる。よって、空気混入機は、養液中の溶存酸素濃度を増加させる。
養液管理部１４は、エアレーション、及び、空気混入機の少なくとも一方を適宜に選択し設置することができる。
養液管理部１４は、少なくとも、養液貯留槽、養液水位計測部、養液ヒーター、灌水部、及び、エアレーション、又は、空気混入機を備えることにより、栽培ベッドに供給される養液の成分の混合比、又は、濃度を調節する。
また、養液管理部１４は、養液中に、既定の電流、既定の電圧、又は、既定の音波を伝達することにより、植物の成長促進、又は、健康状態管理を行うような機能を構成されてもよい。
【００２６】
［濾過部１６］
濾過部１６は、紙や高分子膜等の多孔質の物質を利用して、懸濁液中の粒子を大きさに応じて分別する。具体的には、濾過部１６は、栽培ベッド１２から排出される養液、又は、水を、フィルター又はろ過膜に通すことにより、養液、又は、水に含まれる不純物を取り除くことができる。また、濾過部１６は、限外ろ過膜を用いたクロスフォー方式を採用してもよい。また、濾過部１６は、ろ紙の上面と、下面とにかかる圧力差を利用して濾過を行ってもよい。
【００２７】
［配管１１］
配管１１は、例えば、合成樹脂部材で構成される。
配管１１は、栽培ベッド１２、養液管理部１４、及び、濾過部１６を接続する。
配管１１ａは、養液及び水を供給するように、養液管理部１４と、栽培ベッド１２とを接続し、栽培ベッド１２と、濾過部１６とを接続する。また、配管１１ｂは、栽培ベッド１２より排出された養液及び水を循環させるために、濾過部１６と、養液管理部１４とを接続する。
【００２８】
［検知部１８］ 
検知部１８は、本発明に係る検知部の一例である。
検知部１８は、温度、湿度、照度、二酸化炭素濃度、風量、及び、養液に関して検知する。検知部１８は、温度、湿度、照度、二酸化炭素濃度、風量、及び、養液に関する計測の対象である物理量を検知し、検知された情報を処理のしやすい信号に変換する。
具体的には、検知部１８は、温度を検知する温度センサ、湿度を検知する湿度センサ、照度を検知する照度センサ、二酸化炭素濃度を検知する二酸化炭素センサ、及び、風量を検知する風量センサを含む。また、検知部１８は、養液に関する、水素イオン濃度指数（potential Hydrogen, power of Hydrogen：ｐＨ）測定計、電気伝導率（Electrical Conductivity：ＥＣ）測定計、溶存酸素量（Dissolved Oxygen：ＤＯ）測定計、及びイオン（例えば、カリウム（Ｋ＋）イオン、硝酸（ＮＯ３−）イオン、塩化物（Ｃｌ−）イオン、カルシウム（Ｃａ２＋）イオン、ナトリウム（Ｎａ＋）イオン、銅（Ｃｕ−）イオン等）測定計を含む。
検知部１８は、計測する対象に好適な既定の設置場所にそれぞれ設けられる。本例の検知部１８は、検知部１８ａと、検知部１８ｂとに設置する具体例を説明するがこれに限定するものではない。
例えば、検知部１８ａは、温度、湿度、照度、二酸化炭素濃度、及び、風量をそれぞれ検知するセンサを格納される。また、検知部１８ｂは、ｐＨ測定計、ＥＣ測定計、ＤＯ測定計、及び、イオン測定計を格納される。
【００２９】
［光源部２０］
光源部２０は、本発明に係る光源部の一例である。
光源部２０は、照明器具を用いられる。具体的には、光源部２０は、電球、蛍光灯、又は、発光ダイオード（Ｌｉｇｈｔ Ｅｍｉｔｔｉｎｇ Ｄｉｏｄｅ：ＬＥＤ）を用いられる。本例の光源部２０は、ＬＥＤを用いたものを具体例として説明する。光源部２０は、例えば、白色（Ｗ）、青色（Ｂ）、黄（Ｙ）、赤（Ｒ）、及び、緑（Ｇ）等の発光素子を適宜に組み合せて使用してもよい。本例の光源部２０は、ＲＧＢＷの４色の発光素子を組み合わせたものを具体例として説明する。光源部２０は、この４色の発光素子の発光出力を適宜に調節することができる。
【００３０】
［撮影部２２］
撮影部２２は、本発明に係る撮影部の一例である。
撮影部２２は、栽培ベッド１２に植えられる植物の映像を撮影する。撮影部２２は、例えば、Ｗｅｂカメラが使用される。撮影部２２は、撮影された画像データをＷｏｒｌｄ  Ｗｉｄｅ  Ｗｅｂ（ＷＷＷ）、インスタントメッセージ、又は、ＰＣビデオ等を介してリアルタイムで閲覧することができる。撮影部２２は、例えば、植物の生育状態や害虫の付着の有無などを確認するために用いられる。撮影部２２は、既製品のカメラを使用してもよい。
【００３１】
［二酸化炭素貯蔵部２４］
二酸化炭素貯蔵部２４は、気体や液体を貯蔵し運搬するために用いられる完全密閉可能な容器である。二酸化炭素貯蔵部２４は、継ぎ目のない（シームレス）容器で構成される。二酸化炭素貯蔵部２４は、例えば、金属部材で構成され、具体的には、マンガン鋼、クロムモリブデン鋼、又は、アルミニウム合金等により構成される。二酸化炭素貯蔵部２４は、容器内に二酸化炭素を貯蔵し、容器内の二酸化炭素がなくなる場合に容器毎交換することができる。
【００３２】
［制御部２６］
制御部２６は、環境制御装置３に含まれる、少なくとも、養液管理部１４、光源部２０、撮影部２２、及び、二酸化炭素貯蔵部２４を制御する。また、制御部２６は、空調設備５を制御する。
制御部２６は、養液制御部２６ａ、照度制御部２６ｂ、撮影部制御部２６ｃ、二酸化炭素制御部２６ｄ、及び、空調制御部２６ｅを含む。
［養液制御部２６ａ］
養液制御部２６ａは、本発明に係る養液制御部の一例である。
養液制御部２６ａは、栽培ベッドに供給される養液の成分の混合比又は濃度を制御する。養液制御部２６ａは、検知部１８による検知結果に基づいて、養液貯留槽、養液水位計測部、養液ヒーター、灌水部、及び、エアレーション、又は、空気混入機に養液の成分の混合比又は濃度を制御する旨を通知する。
［光源制御部２６ｂ］
光源制御部２６ｂは、本発明に係る光源制御部の一例である。
光源制御部２６ｂは、光源部２０により照射される光を制御する。
光源制御部２６ｂは、検知部１８による検知結果に基づいて、光量又はカラーバランスを制御する。
［撮影部制御部２６ｃ］
撮影部制御部２６ｃは、撮影部２２を制御する。撮影部制御部２６ｃは、撮影部２２に撮影される撮影方法や画像データを制御する。撮影部制御部２６ｃは、撮影された画像データをＷｏｒｌｄ  Ｗｉｄｅ  Ｗｅｂ（ＷＷＷ）、インスタントメッセージ、又は、ＰＣビデオ等を介してリアルタイムで閲覧することができるよう制御する。撮影部制御部２６ｃは、撮影角度、撮影位置、画角、及び、倍率を可変するよう制御する。
［二酸化炭素制御部２６ｄ］
二酸化炭素制御部２６ｄは、検知部１８の検知結果に基づいて、室内の二酸化炭素濃度を制御する。
［空調制御部２６ｅ］
空調制御部２６ｅは、本発明に係る空調制御部の一例である。
空調制御部２６ｅは、外部に設置された空気調和設備５を制御する。空調制御部２６ｅは、検知部１８による検知結果に基づいて、室内温度を調節するエアコンディショナー、エアサーキュレーター、加湿器、及び、除湿機の少なくとも一つを制御する。
また、空調制御部２６ｅは、エコーネットコンソーシアムで策定された通信プロトコルに従って、前記空気調和設備を制御する。
また、制御部２６は、空調設備５に含まれる、エアコン、エアサーキュレーター、加湿器、及び、除湿機を制御する。
【００３３】
［通信部２８］
通信部２８は、本発明に係る通信部の一例である。
通信部２８は、検知部１８により検知された検知データ、及び、前記撮影部により撮影された画像データを、外部の管理装置である環境設定装置２に転送する。通信部２８は、環境設定装置２と、空調設備５との情報のやり取りを可能とする機能を有する。
【００３４】
このように、環境制御装置３は、既存の空調設備５を利用することで、植物を育成するための設備を最小限にできすることができる。また、環境制御装置３を一揃いとすることで可搬性を備えることができる。
【００３５】
［環境設定プログラム２００］
次に、図３は、環境設定プログラム２００の機能構成を説明する図である。
環境設定装置２は、環境設定プログラム２００をインストールされる。
環境設定プログラム２００は、例えば、ＣＤ−ＲＯＭなどの記録媒体を介して、環境設定装置２にインストールされたコンピュータプログラムである。また、環境設定プログラム２００は、インターネット回線を介して、ダウンロードされるアプリケーションソフトフェアを環境設定装置２にインストールされてもよい。
図３に例示するように、環境設定プログラム２００は、育成情報ＤＢ２０５、入力受付部２１０、基準育成情報決定部２１２、通信部２１４、及び、育成情報記録部２１６を含む。
【００３６】
［育成情報データベース２０５］
図７は、育成情報データベース２０５に記録される育成情報を例示する図である。
図７に例示するように、育成情報データベース２０５（育成情報ＤＢ２０５）は、既定の植物に関する情報（育成情報）を複数記録する。
ここで、育成情報とは、既定の植物に対する育成するための条件である。例えば、育成情報は、既定の植物に関する温度、湿度、照度、二酸化炭素濃度、風量、養液のｐＨ、養液のＥＣ、養液のＤＯ、養液のイオン含有量を含む情報である。また、育成情報は、既定の植物の播種時期、及び、育成期間を含んでもよい。育成情報は、播種時期、及び、育成期間を含むことにより、収穫量や収穫時期のシミュレーションを行うための情報とすることができる。育成情報ＤＢ２０５は、この育成情報を既定の植物毎に複数記録する。
また、育成情報ＤＢ２０５は、環境制御装置３より得られた育成情報８を記録する。育成情報ＤＢ２０５は、環境制御装置３より得られた育成情報を記録することにより、基準となる育成情報を更新することにより、良化させることができる。
また、育成情報ＤＢ２０５は、環境制御装置３より得られた画像データ９を記録する。育成情報ＤＢ２０５は、例えば、記録される育成情報８をユーザに表示する場合に、画像データ９を関連付けて提供することができる。
【００３７】
［入力受付部２１０］
入力受付部２１０は、ユーザからの入力を受け付ける。例えば、入力受付部２１０は、栽培する植物に関する種類、温度、湿度、照度、二酸化炭素濃度、風量、養液のｐＨ、養液のＥＣ、養液のＤＯ、及び、養液のイオン含有量等の情報の入力を受け付ける。
また、入力受付部２１０は、空調設備５、養液管理部１４、光源部２０、及び、撮影部２２に関する電源の入切の設定、又は、タイマー設定を受け付ける。入力受付部２１０は、養液管理部１４に関して、養液ヒーター、灌水部、及び、エアレーション、又は、空気混入機の設定を行うことができる。また、入力受付部２１０は、光源部２０に関して、発光素子毎の出力量を入力することで調節を行うことができる。
【００３８】
［基準育成情報決定部２１２］
基準育成情報決定部２１２は、入力受付部２１０により入力される情報に基づいて、育成情報ＤＢ２０５に記録される複数の育成情報の中から、基準となる育成情報（基準育成情報７）を決定する。例えば、基準育成情報決定部２１２は、入力受付部２１０により入力される植物に関する既定の種類に基づいて、育成情報ＤＢ２０５から入力された植物に関する基準育成情報７を決定する。
ここで、基準育成情報７は、ユーザにより、入力受付部２１０を介して、基準育成情報７を任意に詳細設定することができる。
【００３９】
［通信部２１４］
通信部２１４は、送信部２１４ａと、受信部２１４ｂとを有する。
送信部２１４ａは、基準育成情報決定部２１２により決定される基準育成情報７を、環境制御プログラム３００に含まれる通信部３１０に送信する。
受信部２１４ｂは、環境制御プログラム３００に含まれる育成情報収集部３１６により収集される育成情報８を受信する。
【００４０】
［育成情報記録部２１６］
育成情報記録部２１６は、通信部２１４により受信される育成情報８と、画像データ９とを育成情報ＤＢ２０５に記録する。
【００４１】
［環境制御プログラム３００］
図４は、環境制御プログラム３００の機能構成を説明する図である。
環境制御装置３は、環境制御プログラム３００をインストールされる。
環境制御プログラム３００は、例えば、ＣＤ−ＲＯＭなどの記録媒体を介して、環境制御装置３にインストールされたコンピュータプログラムである。また、環境制御プログラム３００は、インターネット回線を介して、ダウンロードされるアプリケーションソフトフェアを環境制御装置３にインストールされてもよい。
図４に例示するように、環境制御プログラム３００は、通信部３１０、制御部３１２、検知部３１４、育成情報取集部３１６、判断部３１８、及び、警告部３２０を含む。
【００４２】
［通信部３１０］
通信部３１０は、環境設定プログラム２００に含まれる通信部２１４と育成情報の伝達を行う。
通信部３１０は、受信部３１０ａと、送信部３１０ｂとを有する。
受信部３１０ａは、環境設定プログラム２００に含まれる基準育成情報決定部２１２により決定される基準育成情報７を受信する。
送信部３１０ｂは、育成情報収集部３１６により収集される育成情報７と、画像データとを環境設定プログラム２００に送信する。
【００４３】
［制御部３１２］
制御部３１２は、養液制御部３１２ａ、照度制御部３１２ｂ、撮影部制御部３１２ｃ、二酸化炭素制御部３１２ｄ、及び、空調制御部３１２ｅを含む。
制御部３１２は、基準育成情報７、又は、基準育成情報７と検知部３１４に検知される育成情報８とを比較された結果に基づいて、養液制御部３１２ａ、照度制御部３１２ｂ、撮影制御部３１２ｃ、二酸化炭素制御部３１２ｄ、及び、空調制御部３１２ｅを制御する。
【００４４】
［養液制御部３１２ａ］
養液制御部３１２ａは、環境制御装置３に含まれる養液管理部１４を制御する。具体的には、養液制御部３１２ａは、養液貯留槽に貯留される養液の貯留量、養液貯留槽に貯留される養液の温度、養液と共に栽培ベッド１２に供給される水の供給量、及び、この水に含まれる溶存酸素濃度を制御する。
養液制御部３１２ａは、養液の貯留量が既定の範囲外となる場合に、養液貯留槽から栽培ベッド１２に供給される養液の供給量の増減、又は、養液の循環速度の遅速を制御する。
また、養液制御部３１２ａは、養液の温度が既定の範囲外となる場合に、養液ヒーターを用いた養液の温度上昇、又は、水を用いた養液の温度降下を行う。
また、養液制御部３１２ａは、水の供給量が既定の範囲外となる場合に、栽培ベッド１２内、又は、栽培ベッド１２に供給される養液に混合する水の供給量を増減させる。
また、養液制御部３１２ａは、溶存酸素濃度が既定の範囲外となる場合に、エアレーション、又は、空気混入機を用いて、養液中の酸素濃度を増減させる。
【００４５】
［照度制御部３１２ｂ］
照度制御部３１２ｂは、環境制御装置３に含まれる光源部２０を制御する。例えば、照度制御部３１２ｂは、発光素子の発光出力を調節する。具体的には、照度制御部３１２ｂは、ＲＧＢＷの４色の発光素子の出力度合、又は、出力周期を適宜に調節することができる。照度制御部３１２ｂは、室内の照明、又は、太陽光を加味して出力を調節することもできる。
また、照度制御部３１２ｂは、植物の種類、及び、植物の成長速度に基づいて、発光素子の発光色を適宜に選択させる。
【００４６】
［撮影制御部３１２ｃ］
撮影制御部３１２ｃは、環境制御装置３に含まれる撮影部２２を制御する。撮影制御部３１２ｃは、撮影角度、撮影位置、画角、及び、倍率を可変するよう制御する。
【００４７】
［二酸化炭素制御部３１２ｄ］
二酸化炭素制御部３１２ｄは、室内の二酸化炭素濃度を調節する。二酸化炭素制御部３１２ｄは、二酸化炭素濃度が既定の範囲外となる場合に、二酸化炭素貯蔵部２４より二酸化炭素を室内に供給させる。
【００４８】
［空調制御部３１２ｅ］
空調制御部３１２ｅは、室内の温度、湿度、及び、風量を空調設備５に調節させる。空調制御部３１２ｅは、温度が既定の範囲外となる場合に、空調設備５に温度の上昇、又は、温度の降下を行う。
また、空調制御部３１２ｅは、湿度が既定の範囲外となる場合に、空調設備５に湿度の上昇、又は、湿度の降下を行う
また、空調制御部３１２ｅは、風量が既定の範囲外となる場合に、空調設備５に風量の増加、又は、風量の減少を行う
【００４９】
［検知部３１４］
検知部３１４は、温度、湿度、照度、二酸化炭素濃度、風量、及び、養液に関する情報を検知する。検知部３１４は、検知部１８に含まれるセンサにより、温度、湿度、照度、二酸化炭素濃度、風量、及び、養液に関する情報を検知させる。
【００５０】
［育成情報取集部３１６］
育成情報取集部３１６は、検知部３１４により検知された温度、湿度、照度、二酸化炭素濃度、風量、及び、養液に関する情報を育成情報８として収集する。育成情報取集部３１６は、既定の収集期間（例えば、時間帯、日時、又は、回数）に応じて、育成情報を収集する。育成情報取集部３１６は、例えば、３時間毎、６時間毎、又は、１日毎と収集期間を適宜に設定できる。また、育成情報取集部３１６は、これら収集された育成情報８を、事項毎の表示、また、時系列表示にも対応させるよう情報を収集する。また、育成情報取集部３１６は、グラフ（例えば、棒グラフ、折れ線グラフ、円グラフ、散布図、面グラフ、レーダーチャート、バブルチャート、又は、高低グラフ）を用いて、適宜に表示することにも対応するよう情報を収集する。
また、育成情報取集部３１６は、撮影制御部３１２ｃにより制御される撮影部２２に撮影される画像を、画像データとして収集する。
【００５１】
［判断部３１８］
判断部３１８は、通信部３１０により受信される基準育成情報７と、検知部３１４により検知される育成情報８とを比較する。判断部３１８は、基準育成情報７と、育成情報８とに含まれる、例えば、温度、湿度、照度、二酸化炭素濃度、風量、及び、養液に関する情報（養液のｐＨ、養液のＥＣ、養液のＤＯ、及び、養液のイオン含有量等）を比較する。
判断部３１８は、基準育成情報７と、育成情報８と比較し、その差分値が既定の範囲を外れる場合に、異常があると判断し、警告部３２０にその旨を通知する。
判断部３１８は、基準育成情報７と、育成情報８と比較し、その差分値が既定の範囲内である場合に、正常であると判断し、制御部３１２にその旨を通知する。
また、判断部３１８は、基準育成情報７と、育成情報８と比較し、その差分値が既定の範囲内である場合、並びに、既定の範囲を外れる場合に、検知される育成情報８を基準育成情報７に近似するよう制御部３１２に通知する。
【００５２】
［警告部３２０］
警告部３２０は、検知部３１４に検知された結果、既定の範囲外である場合に警告の旨を通知する。具体的には、警告部３２０は、判断部３１８により基準育成情報７と、育成情報８とを比較し、その差分値が既定の範囲を外れる場合に、その旨に基づいて警告させる。警告部３２０は、例えば、養液管理部１４に含まれる養液不足による養液量、ｐＨ、電気伝導率、溶存酸素量、又は、光源部２０の照度の検知される値が既定の範囲外である場合に警告の旨を通知する。
警告部３２０は、警告する手段を、例えば、音声通知、効果音通知、文書通知、又は、発光通知と適宜に選択することができる。
【００５３】
［環境設定処理（Ｓ２０）］
図５は、環境設定処理（Ｓ２０）を説明するフローチャートである。
図５に例示するように、ステップ２００（Ｓ２００）において、ユーザは、栽培する植物に関する情報を入力する。
入力受付部２１０は、ユーザより、栽培する植物に関する情報の入力を受け付ける。入力受付部２１０は、栽培する植物に関する種類、温度、湿度、照度、二酸化炭素濃度、風量、養液のｐＨ、養液のＥＣ、養液のＤＯ、及び、養液のイオン含有量等の情報を入力される。また、入力受付部２１０は、養液管理部１４、光源部２０、及び、撮影部２２に関する電源の入切の設定、又は、タイマー設定を入力される。
【００５４】
ステップ２０２（Ｓ２０２）において、基準育成情報決定部２１２は、入力受付部２１０により入力される情報に基づいて、育成情報ＤＢ２０５に複数記録される既定の植物に関する育成情報の中から、基準育成情報７を決定する。例えば、基準育成情報決定部２１２は、入力受付部２１０により受け付けた既定の植物に基づいて、育成情報ＤＢ２０５に記録される中から、既定の植物に関する育成情報を選択し、選択される育成情報を基準育成情報７として決定する。入力受付部２１０は、基準育成情報７を任意に詳細変更することもできる。
【００５５】
ステップ２０４（Ｓ２０４）において、通信部２１４に含まれる送信部２１４ａは、基準育成情報決定部２１２により決定された基準育成情報７を、環境制御ブログラム３００に含まれる通信部３１０に送信する。
【００５６】
ステップ２０６（Ｓ２０６）において、通信部２１４に含まれる受信部２１４ｂは、育成情報収集部３１６により収集された育成情報８と、画像データ９とを受信する。
【００５７】
ステップ２０８（Ｓ２０８）において、育成情報記録部２１６は、受信部２１４ｂにより受信された育成情報８と、画像データ９とを、育成情報ＤＢ２０５に記録する。
【００５８】
［環境制御処理（Ｓ３０）］
図６は、環境制御処理（Ｓ３０）を説明するフローチャートである。
図６に例示するように、ステップ３００（Ｓ３００）において、通信部３１０に含まれる受信部ａは、環境設定処理Ｓ２０に含まれる基準育成情報決定部２１２に決定された基準育成情報７を受信する。
【００５９】
ステップ３０２（Ｓ３０２）において、制御部３１２は、基準育成情報７に基づいて、栽培される植物に適する室内環境に調節する。具体的には、制御部３１２は、制御部３１２に含まれる養液制御部３１２ａ、照度制御部３１２ｂ、撮影部制御部３１２ｃ、二酸化炭素制御部３１２ｄ、及び、空調制御部３１２ｅにより、温度、湿度、照度、二酸化炭素濃度、風量、養液のｐＨ、養液のＥＣ、養液のＤＯ、養液のイオン含有量を制御する。
【００６０】
ステップ３０４（Ｓ３０４）において、検知部３１４は、制御部３１２により、制御された温度、湿度、照度、二酸化炭素濃度、風量、養液のｐＨ、養液のＥＣ、養液のＤＯ、養液のイオン含有量を検知する。
【００６１】
ステップ３０６（Ｓ３０６）において、育成情報収集部３１６は、検知部３１４により検知された育成情報８と、撮影部２２により撮影された画像データ９とを収集する。通信部３１０は、育成情報８と、画像データ９とを、育成情報記録部２１６に送信する。
【００６２】
ステップ３０８（Ｓ３０８）において、判断部３１８は、検知部３１４により検知された育成情報８と、基準育成情報７とを比較し、その差分値が既定の範囲内か、又は、範囲外かを算出する。具体的には、判断部３１８は、育成情報８と、基準育成情報７とに含まれる、例えば、温度、湿度、照度、二酸化炭素濃度、風量、養液のｐＨ、養液のＥＣ、養液のＤＯ、及び、養液のイオン含有量の情報を比較する。
判断部３１８は、育成情報８と、基準育成情報７とを比較した結果、差分値が既定の範囲内である場合に、正常であると判断する。（Ｙｅｓ：Ｓ３１２）
また、判断部３１８は、育成情報８と、基準育成情報７とを比較した結果、差分値が既定の範囲外である場合に、異常があると判断し、警告部３２０にその旨を通知する。（Ｎｏ：Ｓ３１０）
【００６３】
ステップ３１０（Ｓ３１０）において、警告部３２０は、判断部３１８からの通知を受けて、警告を通知する。
また、判断部３１８は、制御部３１２に、育成情報８を基準育成情報７に近似するよう、制御部３１２にその旨を通知する。（Ｓ３０２）
【００６４】
ステップ３１２（Ｓ３１２）において、判断部３１８は、育成情報８と、基準育成情報７とを比較して得られた差分値より、育成情報８が基準育成情報７に近似する値であるか否かを判断する。
判断部３１８は、基準育成情報７に育成情報８が近似すると判断した場合に、制御部３１２に出力を軽減するなどの旨を通知する。（Ｙｅｓ：Ｓ３１４）
判断部３１８は、基準育成情報７に育成情報８が近似しないと判断した場合に、制御部３１２に出力を強める又は維持する等の旨を通知する。（Ｎｏ：Ｓ３０２）
【００６５】
以上説明したように、本実施形態に係る植物制御システム１によれば、既存の空調設備５を利用することにより、植物を栽培するための環境制御装置３を最小限の設備で構成することができる。
また、植物制御システム１は、環境制御装置３を最小限の設備で構成することにより、可搬性を備え、設置場所を適宜に変更することができる。
以上、本発明に係る実施形態について説明したが、これらに限定されるものではなく、発明の趣旨を逸脱しない範囲内において、種々の変更、追加等が可能である。
【００６６】
［変形例１］
次に、上記実施形態に係る変形例１を説明する。
上記実施形態の撮影部２２は、設置台数が１台の場合を具体例として説明しているが、これに限定するものではなく、撮影部２２（カメラ）を複数台設けてもよい。
例えば、撮影モードが異なる２台の撮影部２２を設けてもよい。撮影部２２は、光源部２０により照射される栽培ベッド１２を撮影するため、撮影時に明度調整処理、コントラスト調整処理及びカラーバランス処理を行い、様々な色又は明度の光が照射される場合であっても、概ね同じような明るさ、コントラスト及び色調の画像データを得られる撮影カメラ（すなわち、自動調整モードのカメラ）と、撮影時にカラーバランス処理等を行ず、実際の光が照射された状態を、そのまま画像データとして得られる撮影カメラ（すなわち、自動調整モードではないカメラ）とを設けてもよい。撮影部２２は、この２種の撮影カメラより得られる画像データを比較することもできる。
また、ユーザは、撮影部２２の備える明度調整処理及びカラーバランス処理を行う撮影カメラにより、ユーザには目視しにくい状態（光源部２０により青色（Ｂ）、黄（Ｙ）、赤（Ｒ）、緑（Ｇ）、又は、これらの組合せによる照射方法にて照射される状態）である栽培ベッド１２の状態を容易に確認することができる。
【００６７】
［変形例２］
次に、上記実施形態の変形例２を説明する。
本実施形態に係る変形例２では、育成情報の一例として、例えば、育成プロファイルが含まれる。また、変形例２では、育成プロファイルを購入する形態を説明する。
図８は、変形例２に係る植物育成システム１ａの概要を例示する図である。
図８に例示するように、本変形例の植物育成システム１ａは、環境設定装置２と、環境制御装置３と、販売サーバ４と、空気調和設備５（空調設備５）とを含む。環境設定装置２、環境制御装置３、販売サーバ４、及び、空調設備５は、インターネット、ＬＡＮ（Ｌａｃａｌ  Ａｒｅａ  Ｎｅｔｗｏｒｋ）、専用回線等の通信網を通じて、互いに接続される。
ここで、環境設定装置２、環境制御装置３、及び、空気調和設備５（空調設備５）は、上記実施例と同様の機能構成を有するため、種々の変更、又は、追加される機能構成のみ説明する。
環境設定装置２は、本発明に係る管理装置の一例である。
【００６８】
販売サーバ４は、本発明に係る販売装置の一例である。
販売サーバ４は、複数の植物に関する育成情報をユーザに販売するためのサーバ装置である。
販売サーバ４は、少なくとも、育成プロファイルデータベース２０７と、育成プロファイル提供部４００と、決済部４０２とを有する。
【００６９】
［育成プロファイルデータベース２０７］
図９は、変形例２に係る育成プロファイルデータベース２０７を例示する図である。
図９に例示するように、育成プロファイルデータベース２０７（育成プロファイルＤＢ２０７）は、育成プロファイルを複数記録する。
育成プロファイルとは、育成環境を制御する制御内容及び制御のタイミングを指定するデータファイルであり、例えば、空調制御の量及びタイミング、光源制御の内容及びタイミング、及び、養液制御の内容及びタイミングを指定する。
育成プロファイルＤＢ２０７は、育成プロファイルを、少なくとも、品種ＩＤと、プロファイルＩＤと、育成条件と、価格とに関連付けて記録する。
【００７０】
図９に例示するように、育成プロファイルＤＢ２０７は、品種データベースを、育成プロファイルデータベースと関連付けて記録する。
図９（ａ）は、品種データベースを例示する図である。
図９（ａ）に例示するように、育成プロファイルＤＢ２０７は、品種ＩＤに品種名を関連付けられる品種データベースを記録する。
品種ＩＤは、品種名と、育成プロファイルとを関連付ける。品種ＩＤは、品種名毎に設けられる。
品種名は、既定の植物を示す。例えば、野菜や果物等である。
【００７１】
図９（ｂ）は、データベースＢを例示する図である。
図９（ｂ）に例示するように、育成プロファイルＤＢ２０７は、育成プロファイルを、品種ＩＤと、育成目的と、価格とを関連付けて記録する。
品種ＩＤは、品種名と、育成プロファイルと関連付ける。
育成プロファイルＩＤは、育成プロファイルデータを示す。
育成目的は、選択される育成プロファイル毎の育成目的を示す。育成目的は、例えば、早期収穫、成長促進、病害抑制、又は、害虫付着防止のような内容である。
価格は、育成プロファイルデータの購入金額である。
【００７２】
［育成プロファイル提供部４００］
育成プロファイル提供部４００は、育成プロファイルＤＢ２０７に記録される育成プロファイルをユーザに提供する。
具体的には、育成プロファイル提供部４００は、ユーザにより選択された既定の品種名に関連する品種ＩＤに基づいて、選択された既定の品種の育成プロファイルを育成プロファイルＤＢ２０７より選択し、選択された育成プロファイルを環境設定装置２に提供する。
【００７３】
［決済部４０２］
決済部４０２は、育成プロファイルの決済処理をする。具体的には、決済部４０２は、育成プロファイル提供部４００に提供される育成プロファイルの中から、ユーザにより選択される育成プロファイルの購入関する決済手続きを行う。
また、決済部４０２は、育成プロファイルの購入にあたり、ユーザに対して、例えば、支払方法、住所、ユーザ名、又は、ユーザＩＤ等を入力させ、入力された情報に基づいて、認証を行う。決済部４０２は、認証された場合に、育成プロファイルの決済を行う。
また、決済部４０２は、購入履歴より、一定期間の収支算出や、売り上げ毎の品種又は育成プロファイルデータの統計を行えるよう情報を記録することもできる。
【００７４】
［環境設定プログラム２００］
環境設定プログラム２００は、通信部２１４を介して、決済された育成プロファイルを育成情報ＤＢ２０５にダウンロードする。環境設定プログラム２００は、基準育成情報決定部２１２により、既定の育成条件に適う育成プロファイルを選択された場合に、基準育成情報７として決定する。
【００７５】
［環境制御プログラム３００］
図１０は、変形例２に係る環境制御プログラム３００の機能構成を説明する図である。
図１０に例示するように、環境制御プログラム３００は、通信部３１０、制御部３１２、検知部３１４、育成情報取集部３１６、判断部３１８、及び、警告部３２０を含む。
ここで、本変形例２での制御部３１２は、育成プロファイル制御部３１２ｆをさらに含む。
［育成プロファイル制御部３１２ｆ］
育成プロファイル制御部３１２ｆは、基準育成情報決定部２１２により決定された育成プロファイルに基づいて、養液制御部３１２ａ、照度制御部３１２ｂ、二酸化炭素制御部３１２ｄ、及び、空調制御部３１２ｅを制御する。育成プロファイル制御部３１２ｆは、育成プロファイルに基づいて、例えば、養液制御部３１２ａ、照度制御部３１２ｂ、二酸化炭素制御部３１２ｄ、及び、空調制御部３１２ｅの制御の内容及び制御のタイミングを制御する。
【００７６】
図１１は、育成プロファイルの購入手続きにおける動作概要（Ｓ１０）を例示するシーケンス図である。
図１２は、変形例２に係る環境設定装置２に表示される購入手続き画面を例示する図である。
図１１に例示するように、ステップ１００（Ｓ１００）において、環境設定装置２は、ユーザにより、育成プロファイルの購入する旨を販売サーバ４に通知させる。
【００７７】
図１２（ａ）は、育成プロファイルを選択するための画面を例示する図である。
ステップ１０２（Ｓ１０２）において、図１２（ａ）に例示するように、育成プロファイル提供部４００は、環境設定装置２に購入手続きを行うための選択画面を表示させる。まず、育成プロファイル提供部４００は、ユーザに品種を品種選択項目３０にて選択させる。
品種選択項目３０は、育成プロファイルＤＢ２０７に記録される品種データベースの品種名を一覧表示される。
【００７８】
ステップ１０４（Ｓ１０４）において、ユーザは、育成する品種を選択する。
環境設定装置２は、ユーザに選択される品種を育成プロファイル提供部４００に通知する。ここで、ユーザは、例えば、品種選択項目３０にてトマトを選択する場合を説明する。
【００７９】
ステップ１０６（Ｓ１０６）において、育成プロファイル提供部４００は、ユーザにより選択されたトマトの品種ＩＤに基づいて、トマトの品種ＩＤに関連する育成プロファイルを環境設定装置２に表示させる。図１２（ａ）に例示するように、育成プロファイル提供部４００は、育成プロファイルＤＢ２０７に記録される育成プロファイルＩＤに関連付く育成目的と、価格とを表示する。
育成プロファイル提供部４００は、例えば、育成プロファイル項目３２に育成プロファイルＩＤを表示させ、育成目的に項目３４に育成目的を表示させ、購入金額項目３６に価格を表示させる。
【００８０】
ステップ１０８（Ｓ１０８）において、ユーザは、育成プロファイルを選択する。
環境設定装置２は、ユーザに選択される育成プロファイルＩＤを育成プロファイル提供部４００に通知する。
ここで、ユーザは、例えば、育成プロファイル項目３２に表示される育成プロファイルａを選択する場合を説明する。
【００８１】
ステップ１１０（Ｓ１１０）において、決済部４０２は、ユーザにより選択された育成プロファイルａの購入手続きの画面を環境設定装置２に表示させる。決済部４０２は、例えば、購入に関する情報（支払方法、住所、ユーザ名、又は、ユーザＩＤ等）を確認する入力フォームを環境設定装置２に表示させる。
【００８２】
ステップ１１２（Ｓ１１２）において、ユーザは、購入に関する情報を入力する。
環境設定装置２は、ユーザに入力された購入に関する情報を決済部４０２に通知する。
【００８３】
図１２（ｂ）は、決済を行う画面を例示する図である。
ステップ１１４（Ｓ１１４）において、決済部４０２は、ユーザに入力された購入に関する情報を受けつける。決済部４０２は、購入に関する情報のうち、ユーザ名、又は、ユーザＩＤの認証を行う。
決済部４０２は、ユーザ名、又は、ユーザＩＤの認証が一致する場合に、環境設定装置２に決済を行うための画面を表示させる（Ｓ１１６）。図１２（ｂ）に例示するように、決済部４０２は、品種項目３０、育成プロファイル項目３２、育成条件項目３４、価格３６、購入合計金額３８、及び、支払方法３８を環境設定装置２に表示させる。
決済部４０２は、ユーザ名、又は、ユーザＩＤの認証が不一致の場合に、環境設定装置２に一致しない旨を通知し、ユーザに再入力をさせる。（Ｓ１１２）
【００８４】
ステップ１１６（Ｓ１１６）において、決済部４０２は、環境設定装置２より、ユーザからの決済する旨の通知を受ける。
【００８５】
ステップ１１８（Ｓ１１８）において、決済部４０２は、ユーザの決済する旨の通知を受けて、環境設定装置２に決済完了の旨を表示させる。また、決済部４０２は、ユーザにより購入された育成プロファイルａを環境設定装置２に含まれる育成情報ＤＢ２０５にダウンロードさせる。
【００８６】
ステップ１２０（Ｓ１２０）において、基準育成情報決定部２１２は、例えば、育成情報ＤＢ２０５に記録される育成プロファイルａを選択した場合に、基準育成情報７として決定する。通信部２１４は、基準育成情報７を環境制御装置３に含まれる通信部３１０に送信する。
育成プロファイル制御部３１２ｆは、育成プロファイルａに基づいて、養液制御部３１２ａ、照度制御部３１２ｂ、二酸化炭素制御部３１２ｄ、及び、空調制御部３１２ｅを制御する。
このように、本変形例２の植物育成システム１ａは、育成プロファイルを販売することで、ユーザの育成目的に合わせた育成プロファイルを提供することができる。
【００８７】
また、環境設定プログラム２００、及び、環境制御プログラム３００のどちらか一方に、環境制御装置３を設置する施設、又は、部屋に応じて、育成プロファイルを校正（キャリブレーション）する校正部４０４をさらに含んでもよい。
校正部４０４は、本発明に係る校正部の一例である。
校正部４０４は、養液制御部３１２ａ、照度制御部３１２ｂ、及び、空調制御部３１２ｅの少なくとも１つは、校正部４０２により校正された育成プロファイルに基づいて制御を行う。校正部４０４は、環境制御装置３の設置される施設の環境や既存設備を考慮し、育成プロファイルを校正する。
校正部４０４は、例えば、温度、及び、湿度に関する校正を行う場合に、既存の設備によって、製造会社、又は、品番が異なるため、製品性能の誤差に応じて、育成プロファイルの制御内容、及びタイミングを校正する。校正部４０４は、例えば、エアコン、エアサーキュレーター、加湿器、及び、除湿機に関する製造会社、又は、品番毎に、設定温度の設定や作業時間の設定を校正する。
このように、校正部４０４は、育成プロファイルを校正することにより、環境制御装置３の設置される施設や環境に合わせた制御を行うことができる。
【００８８】
［変形例３］
本変形例３では、検知部１８に含まれる養液に関するセンサの経時劣化を軽減する方法を説明する。
ここで、検知部１８に含まれる養液に関するセンサのうち、イオン測定を行うことのできるセンサに着目し、このセンサの集まりを検知部１８ｃとして説明する。検知部１８ｃは、例えば、カリウム（Ｋ＋）イオン、硝酸（ＮＯ３−）イオン、塩化物（Ｃｌ−）イオン、カルシウム（Ｃａ２＋）イオン、ナトリウム（Ｎａ＋）イオン、銅（Ｃｕ−）イオン等のイオンに関して測定することのできるセンサの集まりである。これらセンサは、例えば、電極を用いたものである。
【００８９】
図１３は、検知部１８ｃの経時劣化を軽減する方法を説明する図である。
図１３に例示するように、経時劣化を軽減する方法は、検知部１８ｃの経時劣化を軽減するために測定工程に加えて、洗浄工程、及び、保存工程を含む。
そのため、養液管理部１４は、さらに、検知部１８ｃの洗浄を行う洗浄槽、及び、検知部１８ｃの保存を行う保存槽をさらに備えてもよい。
洗浄槽、及び、保存槽は、検知部１８ｃを同一槽にて洗浄及び保存できる形状に限定するものではなく、センサ毎に個別で洗浄及び保存を行うように、センサ毎に合わせた形状に変更してもよい。
［測定工程］
図１３（ａ）に例示するように、検知部１８ｃは、養液貯留槽に入れられる。
検知部１８ｃは、養液貯留槽に入れられ、養液中に含まれるイオンを測定する。具体的には、検知部１８ｃは、攪拌部３０により攪拌される養液中に入れられた状態で、養液中に含まれるイオンを測定する。攪拌部３０は、例えば、マグネッチクスターラー、メカニカルスターラー、エアレーション、又は、空気混入機を適宜に選択して使用される。
また、検知部１８ｃによる測定時間は、集められたセンサのうち、一番測定時間の長いセンサに合わせて測定時間を設定され、具体的には、約５分間〜１５分に設定される。
検知部１８ｃは、測定後に養液中より取り出される。
【００９０】
［洗浄工程］
次に、図１３（ｂ）に例示するように、検知部１８ｃは、養液貯留槽から洗浄槽に移される。
検知部１８ｃは、洗浄槽にて、約２０秒間〜４０秒間洗浄される。検知部１８ｃの洗浄方法は、特に限定せず適宜に選択することができる。
【００９１】
［保存工程］
次に、図１３（ｃ）に例示するように、検知部１８ｃは、洗浄槽から保存槽に移される。
検知部１８ｃは、洗浄槽にて洗浄された後に、保存槽に入れられる。検知部１８ｃは、次に測定を行うまでの間、保存槽に入れられて保存される。
このように、養液に関するセンサの経時劣化を軽減する方法は、検知部１８ｃを測定工程、洗浄工程、及び、保管工程を行うことにより、経時劣化を軽減することができる。
また、測定工程、洗浄工程、及び、保管工程を一連の動作とし、測定を行う時刻、又は、時間間隔（例えば、１０分〜１日）を設定することで、均質な測定を行うことができると共に、養液成分の安定を図ることができる。
また、環境設定プログラム２００、及び、環境制御プログラム３００のどちらか一方に、経時的に劣化する検知部１８ｃの状態に合わせて、測定られる測定値を経時時間に合わせて補正を行うことで経時劣化を相殺することのできる補正部４０６をさらに設けてもよい。
以上のように、検知部１８ｃは、洗浄を行わず養液中に入れたままの状態である場合に比べて、測定後に洗浄する工程と、保存槽にて保存する工程とを設ける場合の方が、センサの寿命を延命することができ、さらに、測定結果の精度を向上させることができる。
【符号の説明】
【００９２】
１        植物育成システム
２        環境設定装置
５        空気調和設備（空調設備）
３        環境制御装置  
７        基準育成情報
８        育成情報
９        画像データ
１０      可搬台
１２      栽培ベッド
１４      養液管理部
１６      濾過部
１１      配管
１８      検知部
２０      光源部
２２      撮影部
２４      二酸化炭素貯蔵部
２６      制御部
２６ａ    養液制御部
２６ｂ    照度制御部
２６ｃ    撮影部制御部
２６ｄ    二酸化炭素制御部
２６ｅ    空調制御部
２８      通信部
［環境設定プログラム２００]
２０５    育成情報ＤＢ
２１０    入力受付部
２１２    基準育成情報決定部
２１４    通信部
２１４ａ  送信部
２１４ｂ  受信部
２１６    育成情報記録部
［環境制御プログラム３００]
３１０    通信部
３１０ａ  受信部
３１０ｂ  送信部
３１２    制御部
３１２ａ  養液制御部
３１２ｂ  照度制御部
３１２ｃ  撮影部制御部
３１２ｄ  二酸化炭素制御部
３１２ｅ  空調制御部
３１４    検知部
３１６    育成情報取集部
３１８    判断部
３２０    警告部
【図１】
2015062390.tif 000003
【図２】
2015062390.tif 000004
【図３】
2015062390.tif 000005
【図４】
2015062390.tif 000006
【図５】
2015062390.tif 000007
【図６】
2015062390.tif 000008
【図７】
2015062390.tif 000009
【図８】
2015062390.tif 000010
【図９】
2015062390.tif 000011
【図１０】
2015062390.tif 000012
【図１１】
2015062390.tif 000013
【図１２】
2015062390.tif 000014
【図１３】
2015062390.tif 000015